(57)【特許請求の範囲】
【請求項１】
ＦＭ受信信号から中間周波信号を抽出する帯域フィルタと、前記中間周波信号から検波信号を復調する検波部とを有するＦＭ受信機に設けられ、前記検波信号に対しミュート処理を行う減衰器を備えたミュート回路であって、
前記中間周波信号のエンベロープを示す第１のエンベロープ信号を生成するエンベロープ検出部と、
前記第１のエンベロープ信号を増幅して、前記第１のエンベロープ信号より大きいレベルの第２のエンベロープ信号を生成するレベル調整部と、
前記第１のエンベロープ信号に対しローパスフィルタリングを施して第１の評価信号を生成する時定数の大きいローパスフィルタと、
前記第２のエンベロープ信号に対しローパスフィルタリングを施して第２の評価信号を生成する、前記時定数の大きいローパスフィルタより小さい時定数を有するローパスフィルタと、
前記第１，第２の評価信号を比較し、レベルの大きい評価信号を選択信号とする選択部と、
前記選択信号のレベルと固定値とを較べ、前記選択信号のレベルが固定値より大きいときには、前記減衰器の減数量を０に設定し、前記選択信号のレベルが固定値より小さいときには、前記選択信号と固定値の差に従って前記減衰器の減数量を調整する演算器と、
を具備することを特徴とするミュート回路。
【請求項２】
前記時定数の大きいローパスフィルタは、前記帯域フィルタの非線形特性の影響で前記第１のエンベロープ信号に生じる交流成分を除去する時定数に設定され、
前記時定数の小さいローパスフィルタは、前記ＦＭ受信機に到来する電波の電界強度が急激に低下するのに従って急激にレベルが低下する前記第２のエンベロープ信号に追従する時定数に設定されていること、
を特徴とする請求項１に記載のミュート回路。
【請求項３】
前記固定値は、前記ＦＭ受信機に到来する電波の実用感度レベルに従って設定される値であること、
を特徴とする請求項１又は２に記載のミュート回路。
【請求項４】
ＦＭ受信信号から中間周波信号を抽出する帯域フィルタと、前記中間周波信号から検波信号を復調する検波部とを有するＦＭ受信機におけるミュート処理方法であって、
前記中間周波信号のエンベロープを示す第１のエンベロープ信号を生成するエンベロープ検出工程と、
前記第１のエンベロープ信号を増幅して、前記第１のエンベロープ信号より大きいレベルの第２のエンベロープ信号を生成するレベル調整工程と、
前記第１のエンベロープ信号に対し、大きい時定数でローパスフィルタリングを施して第１の評価信号を生成するローパスフィルタリング工程と、
前記ローパスフィルタリング工程における前記時定数より小さい時定数で、前記第２のエンベロープ信号に対しローパスフィルタリングを施して第２の評価信号を生成するローパスフィルタリング工程と、
前記第１，第２の評価信号を比較し、レベルの大きい評価信号を選択信号とする選択工程と、
前記選択信号のレベルと固定値とを較べ、前記選択信号のレベルが固定値より大きいときには、前記検波信号に対する減数量を０に設定し、前記選択信号のレベルが固定値より小さいときには、前記選択信号と固定値の差に従って前記検波信号に対する減数量を調整する演算工程と、
を具備することを特徴とするミュート処理方法。
【発明の詳細な説明】
【技術分野】
【０００１】
本発明は、ＦＭ受信機で生じる検波信号のノイズを抑圧するミュート回路に関する。
【背景技術】
【０００２】
周知のように、ＦＭ受信機は電波の周波数偏移に対して検波し、検波信号を生成する。しかし、送信所からの距離が長距離であったり、地形や建造物等の影響を受けて、到来電波の電界強度が実用感度レベル以下に低下した場合、ＦＭ受信機内で生じる内部雑音なども不可避的に検波してしまう結果、極めて耳障りなノイズを発生してしまうという課題がある。
【０００３】
かかる課題を解決するため、ＦＭ受信機には、電波が弱くなるに従って（電界強度が低下するに従って）、検波信号の振幅を減衰させ、音量を低減するミュート回路が設けられている（例えば、特許文献１を参照）。
【０００４】
図１は、従来一般に知られているミュート回路の基本構成を示したブロック図である。
図１において、受信アンテナに到来した電波は、ＦＭ受信機のフロントエンド部で中間周波数に変換され、帯域フィルタ（ＩＦフィルタ）で不要な成分が除去されて中間周波増幅部（ＩＦアンプ）で増幅され、その増幅された中間周波信号（ＩＦ信号）ＳIFが検波部で検波信号Ｓxに復調されて、ミュート回路の減衰器に入力される。
【０００５】
このミュート回路は、上述の減衰器の他、エンベロープ検出部と、時定数の大きなローパスフィルタと、演算器を有している。そして、エンベロープ検出部で中間周波信号ＳIFを整流して平滑化することでエンベロープ信号ＥＶを生成し、更にローパスフィルタで、そのエンベロープ信号ＥＶの不要な交流成分を除去して直流の評価信号ＳＰにし、演算器で固定値（実用感度レベルに合わせて予め決められた固定値）ＶＢとその評価信号ＳＰとの差（ＶＢ−ＳＰ）を算出することで、減衰器の減衰量を自動調節するためのミュート信号ＭＴを生成し、そのミュート信号ＭＴのレベル変化に従って減衰器が、検波信号Ｓxに対する減衰量を自動調整することで、耳障りなノイズを抑圧した検波信号Ｓyを出力する。
【０００６】
ここで、演算器は、評価信号ＳＰのレベルが固定値ＶＢの電圧を超えるときには、次式（１）で表されるように、ミュート信号ＭＴのレベルを０にし、評価信号ＳＰのレベルが０から固定値ＶＢまでの電圧範囲内のときには、次式（２）で表されるように、ミュート信号ＭＴのレベルを差（ＶＢ−ＳＰ）にする。
【０００７】
【数１】
0004732231.tif 000002
【０００８】
したがって、到来電波が強く（電界強度が実用感度レベル以上であり）、そのため検波信号Ｓxのノイズが目立たないときには、評価信号ＳＰのレベルが大きくなることから、上記式（１）の関係からミュート信号ＭＴのレベルが０となり、減衰器の減衰量が０になる。つまり、到来電波が強いときには、検波信号Ｓxのノイズが目立たなくなり、減衰器は、その検波信号Ｓxを減衰させることなく検波信号Ｓyとして出力し、音量を下げることなくスピーカ等に再生させる。
【０００９】
一方、到来電波が弱くなると（電界強度が実用感度レベル以下になると）、中間周波信号ＳIFのレベルが低下し、検波信号Ｓxのノイズが目立ち始める。そして、評価信号ＳＰのレベルも低下することから、上記式（２）の関係からミュート信号ＭＴのレベルが差（ＶＢ−ＳＰ）となる。このことから、減衰器は、到来電波が弱くなって検波信号Ｓxのノイズが目立ち始めると、その検波信号Ｓxを減衰させることでノイズを抑圧した検波信号Ｓyにし、音量の小さい音をスピーカ等に再生させる。
【００１０】
なお、図１（ａ）に示したミュート回路は、電波の電界強度が実用感度レベル以下となり、ミュート信号ＭＴのレベルが上昇するに従って検波信号Ｓxに対する減衰量を増していくことから、ソフトミュート回路と呼ばれている。
【００１１】
【特許文献１】特開２００５−５８１９号公報
【発明の開示】
【発明が解決しようとする課題】
【００１２】
ところで、図１（ａ）に示した帯域フィルタは、一般に、通過帯域内において平坦な利得特性ではない（平坦な利得特性に設計することは不可避的に困難であり非線形特性となってしまう）ことから、その非線形特性の影響で入力に対する出力に波形歪み等を生じさせてしまう。そのため、エンベロープ検出部でその波形歪み等を含んだ中間周波信号ＳIFからエンベロープ信号ＥＶが生成されると、不要な交流成分がエンベロープ信号ＥＶに生じてしまう。そこで、ミュート回路には、その不要な交流成分を除去すべく時定数の大きなローパスフィルタが備えられている。
【００１３】
つまり、固定値ＶＢと比較される評価信号ＳＰが上述の波形歪み等の影響で頻繁に変動すると、減衰器の減衰量も不必要に変動してしまい、再生音を聴いた視聴者等に違和感を与えてしまうこととなるため、時定数の大きいローパスフィルタを備えることで、評価信号ＳＰの安定化を図り、減衰器の減衰量を安定に調整するようにしている。
【００１４】
ここで、例えば車載用のＦＭ受信機や、携帯用のＦＭ受信機（ＦＭラジオ）や、携帯端末装置に備えられたＦＭ受信機等においては、受信状態の悪化に伴って到来電波の電界強度が低下する場合として、その電界強度が緩やかに低下する場合と、急激に低下する場合がある。
【００１５】
例えば、視聴者等が送信所から徐々に離れて移動していくような場合には、到来電波の電界強度が緩やかに低下する。視聴者等が市街地の高層ビル群を移動するような場合には、到来電波の電界強度が急激に低下する場合がある。
【００１６】
そして、到来電波の電界強度が緩やかに低下する場合には、図１（ｂ）に示すように、エンベロープ信号ＥＶのレベルも緩やかに低下し、時定数の大きいローパスフィルタから出力される電圧信号ＶＢの電圧も緩やかに低下することとなるため、その評価信号ＳＰと固定値ＶＢとの差によって生成されるミュート信号ＭＴのレベルが０以上になる時点（ミュート期間Ｔmの開始時点）ｔonが、電界強度の変化に追従し、ノイズの目立った検波信号Ｓxに対して所望のミュートを掛ける（減衰させる）ことができる。
【００１７】
しかし、図１（ｃ）に示すように、到来電波の電界強度が急激に低下する場合（同図では、時点ｔdownで急激に低下）、それに追従してエンベロープ信号ＥＶのレベルが急激に低下するのに対し、ローパスフィルタの時定数が大きい故に、評価信号ＳＰは緩やかに低下することとなる。
【００１８】
このため、その評価信号ＳＰと固定値ＶＢとの差によって生成されるミュート信号ＭＴのレベルが０以上になる時点（ミュート期間Ｔmの開始時点）ｔonが、電界強度の急激に低下した時点ｔdownより遅延してしまい、ｔdownからｔonまでの遅延期間Ｔzでは、ノイズの目立った検波信号Ｓxに対してミュートが掛からなくなり（減衰されなくなり）、ノイズが抑圧されないままの検波信号Ｓyによって耳障りで大音量のノイズ音がスピーカ等によって再生されてしまうという問題を招来する。
【００１９】
本発明は、このような従来の問題に鑑みてなされたものであり、到来電波の電界強度が急激に低下する場合でも、検波信号に対して適切にミュートを掛け（減衰させ）て、ノイズを抑圧することができるミュート回路を提供することを目的とするものである。
【課題を解決するための手段】
【００２０】
請求項１に記載の発明は、ＦＭ受信信号から中間周波信号を抽出する帯域フィルタと、前記中間周波信号から検波信号を復調する検波部とを有するＦＭ受信機に設けられ、前記検波信号に対しミュート処理を行う減衰器を備えたミュート回路であって、前記中間周波信号のエンベロープを示す第１のエンベロープ信号を生成するエンベロープ検出部と、前記第１のエンベロープ信号を増幅して、前記第１のエンベロープ信号より大きいレベルの第２のエンベロープ信号を生成するレベル調整部と、前記第１のエンベロープ信号に対しローパスフィルタリングを施して第１の評価信号を生成する時定数の大きいローパスフィルタと、前記第２のエンベロープ信号に対しローパスフィルタリングを施して第２の評価信号を生成する、前記時定数の大きいローパスフィルタより小さい時定数を有するローパスフィルタと、前記第１，第２の評価信号を比較し、レベルの大きい評価信号を選択信号とする選択部と、前記選択信号のレベルと固定値とを較べ、前記選択信号のレベルが固定値より大きいときには、前記減衰器の減数量を０に設定し、前記選択信号のレベルが固定値より小さいときには、前記選択信号と固定値の差に従って前記減衰器の減数量を調整する演算器と、を具備することを特徴とする。
【００２１】
請求項４に記載の発明は、ＦＭ受信信号から中間周波信号を抽出する帯域フィルタと、前記中間周波信号から検波信号を復調する検波部とを有するＦＭ受信機におけるミュート処理方法であって、前記中間周波信号のエンベロープを示す第１のエンベロープ信号を生成するエンベロープ検出工程と、前記第１のエンベロープ信号を増幅して、前記第１のエンベロープ信号より大きいレベルの第２のエンベロープ信号を生成するレベル調整工程と、前記第１のエンベロープ信号に対し、大きい時定数でローパスフィルタリングを施して第１の評価信号を生成するローパスフィルタリング工程と、前記ローパスフィルタリング工程における前記時定数より小さい時定数で、前記第２のエンベロープ信号に対しローパスフィルタリングを施して第２の評価信号を生成するローパスフィルタリング工程と、前記第１，第２の評価信号を比較し、レベルの大きい評価信号を選択信号とする選択工程と、前記選択信号のレベルと固定値とを較べ、前記選択信号のレベルが固定値より大きいときには、前記検波信号に対する減数量を０に設定し、前記選択信号のレベルが固定値より小さいときには、前記選択信号と固定値の差に従って前記検波信号に対する減数量を調整する演算工程と、を具備することを特徴とする。
【発明を実施するための最良の形態】
【００２２】
本発明の実施の形態に係るミュート回路について図面を参照して説明する。図２（ａ）は、本実施形態のミュート回路の構成を表したブロック図である。また、ＦＭ受信機１０に設けられた場合の構成について示している。
【００２３】
図２（ａ）において、まず、ＦＭ受信機１０の構成を述べると、受信アンテナＡＮＴに到来する電波を受信し、中間周波数の信号に変換するフロントエンド部１１と、その中間周波数に変換された信号のうち、検波に必要な信号成分を通過させると共に不要な成分を除去する帯域フィルタ（ＩＦフィルタ）１２と、帯域フィルタ１２を通過した信号成分を増幅して中間周波信号（以下「ＩＦ信号」と称する）ＳIFとする中間周波数増幅部（ＩＦアンプ）１３と、ＩＦ信号ＳIFを検波して検波信号Ｓxを生成する検波部１４を備えている。
【００２４】
本実施形態のミュート回路２０は、検波信号Ｓxに対する減衰量（別言すれば、検波信号Ｓxを減衰させるための減衰率）を後述のミュート信号ＭＴに従って自動的に可変調整する減衰器２７と、エンベロープ検出部２１と、第１のローパスフィルタ２２と、レベル調整部２３と、第２のローパスフィルタ２４と、選択部２５と、演算器２６を備えて構成されている。
【００２５】
ここで、エンベロープ検出部２１は、ＩＦ信号ＳIFを整流して平滑化することにより、ＩＦ信号ＳIFのエンベロープ（包絡線）を示すエンベロープ信号ＥＶを生成する。つまり、ＩＦ信号ＳIFを整流することで絶対値の信号を生成し、更にその絶対値の信号を平滑化することで、エンベロープ信号（第１のエンベロープ信号）ＥＶを生成する。
【００２６】
第１のローパスフィルタ２２は、時定数の大きいローパスフィルタで形成されており、エンベロープ信号ＥＶに対してローパスフィルタリングを施すことで、到来電波の電界強度をほぼ直流の電圧として示す第１の評価信号ＳＰを生成する。
【００２７】
つまり、従来技術で述べたように、上述の中間周波数に変換された信号からＩＦ信号ＳIFを生成するために設けられている帯域フィルタ１２の利得特性が、通過帯域内において不可避的に平坦な特性とはならないことから、エンベロープ信号ＥＶに不要な交流成分が生じてしまう場合がある。そこで、第１のローパスフィルタ２２は、エンベロープ信号ＥＶに生じる不要な交流成分を除去するために、時定数の大きいローパスフィルタで形成されている。
【００２８】
そして、第１のローパスフィルタ２２は時定数が大きいことから、上述したようにエンベロープ信号ＥＶに生じる不要な交流成分を除去する機能を発揮する他、更に、到来電波の電界強度が緩やかに低下してエンベロープ信号ＥＶのレベルも緩やかに低下する場合には、そのエンベロープ信号ＥＶのレベルが緩やかに低下するのに追従して、緩やかにレベルが低下する第１の評価信号ＳＰを生じさせ、到来電波の電界強度が急激に低下してエンベロープ信号ＥＶのレベルも急激に低下する場合には、そのエンベロープ信号ＥＶの急激なレベル変化に追従することなく、大きな時定数に従って緩やかにレベルが低下する第１の評価信号ＳＰを生じさせる機能を発揮する。
【００２９】
レベル調整部２３は、所定の利得（１より大きい利得）を有する増幅器等で形成され、エンベロープ信号ＥＶを増幅することで、そのエンベロープ信号ＥＶよりレベルの大きいエンベロープ信号（第２のエンベロープ信号）ＥＶHを生成する。
【００３０】
第２のローパスフィルタ２４は、第１のローパスフィルタ２２よりも時定数の小さいローパスフィルタで形成されており、エンベロープ信号ＥＶHに対してローパスフィルタリングを施すことで、到来電波の電界強度をほぼ直流の電圧として示す第２の評価信号ＳＰHを生成する。
【００３１】
つまり、第２のローパスフィルタ２４は、第１のローパスフィルタ２２よりも時定数の小さいローパスフィルタで形成されていることから、エンベロープ信号ＥＶHに生じる不要な交流成分を除去することを主目的として設けられているのではなく、到来電波の電界強度が急激に低下してエンベロープ信号ＥＶHのレベルも急激に低下する場合に、そのエンベロープ信号ＥＶHの急激なレベルの低下に追従して、急にレベルが低下する第２の評価信号ＳＰHを生成するために設けられている。
【００３２】
すなわち、第２のローパスフィルタ２４は時定数が小さいことから、到来電波の電界強度が緩やかに低下してエンベロープ信号ＥＶのレベルも緩やかに低下する場合には、そのエンベロープ信号ＥＶの緩やかにレベルが低下するのに追従して、緩やかにレベルが低下する第２の評価信号ＳＰHを生じさせ、到来電波の電界強度が急激に低下してエンベロープ信号ＥＶのレベルも急激に低下する場合には、そのエンベロープ信号ＥＶの急激なレベル低下に追従して、急にレベルが低下する第２の評価信号ＳＰHを生じさせる機能を発揮する。
【００３３】
ここで、図２（ｂ）と図３（ａ）（ｂ）と図４（ａ）（ｂ）を参照して、第１のローパスフィルタ２２と第２のローパスフィルタ２４の機能について更に詳述することとする。
【００３４】
なお、図２（ｂ）は、第１，第２のローパスフィルタ２２，２４の通過周波数帯域と、エンベロープ信号ＥＶ，ＥＶHの周波数帯域の関係を模式的に示した特性図である。図３（ａ）（ｂ）は、到来電波の電界強度が緩やかに低下した場合の、エンベロープ信号ＥＶ，ＥＶHと第１，第２の評価信号ＳＰ，ＳＰHの変化を模式的に示した図である。図４（ａ）（ｂ）は、到来電波の電界強度が急激に低下した場合の、エンベロープ信号ＥＶ，ＥＶHと第１，第２の評価信号ＳＰ，ＳＰHの変化を模式的に示した図である。
【００３５】
まず、第１のローパスフィルタ２２は、図２（ｂ）の特性にて示すように、時定数の大きいローパスフィルタで形成され、エンベロープ信号ＥＶの低周波数域の成分を通過させ、エンベロープ信号ＥＶに生じる不要な交流成分を除去する。更に、時定数の大きい第１のローパスフィルタ２２は、図３（ａ）に示すように到来電波の電界強度が緩やかに低下してエンベロープ信号ＥＶのレベルも緩やかに低下する場合、図３（ｂ）に示すように、その緩やかにレベルが低下することとなるエンベロープ信号ＥＶに追従して、緩やかにレベルが低下する第１の評価信号ＳＰを生成する。また、図４（ａ）に示すように到来電波の電界強度が急激に低下してエンベロープ信号ＥＶのレベルも急激に低下する場合には、図４（ｂ）に示すように、その急激にレベルが低下することとなるエンベロープ信号ＥＶに追従することなく、穏やかにレベルが低下する第１の評価信号ＳＰを生成する。
【００３６】
一方、第２のローパスフィルタ２４は、図２（ｂ）の特性にて示すように、第１のローパスフィルタ２２よりも時定数の小さいローパスフィルタで形成されているため、エンベロープ信号ＥＶHについて、第１のローパスフィルタ２２よりも高周波数域の成分を通過させる。したがって、時定数の小さい第２のローパスフィルタ２４は、図３（ａ）に示すように到来電波の電界強度が緩やかに低下してエンベロープ信号ＥＶHのレベルも緩やかに低下する場合、図３（ｂ）に示すように、その緩やかにレベルが低下することとなるエンベロープ信号ＥＶHに追従して、緩やかにレベルが低下する第２の評価信号ＳＰHを生成する。また、図４（ａ）に示すように到来電波の電界強度が急激に低下してエンベロープ信号ＥＶHのレベルも急激に低下する場合には、図４（ｂ）に示すように、その急激にレベルが低下することとなるエンベロープ信号ＥＶHに追従して、急にレベルが低下する第２の評価信号ＳＰHを生成する。
【００３７】
そして、第１，第２のローパスフィルタ２２，２４の各々の時定数は、ＦＭ受信機１０が移動体等に搭載されて移動する際の実情に合わせて予め決められている。例えば、ＦＭ受信機１０が送信所から次第に離れていき、到来電波の電界強度が徐々に低下していくような場合を考慮し、その電界強度が徐々に低下していく傾向を実験等によって解析することで、第１のローパスフィルタ２２の時定数が決められている。また、例えば、ＦＭ受信機１０が市街地の高層ビル群を移動する際、到来電波の電界強度が急激に低下する場合を考慮して、その電界強度が急激に低下する傾向を実験等によって解析することで、第２のローパスフィルタ２４の時定数が決められている。
【００３８】
次に、選択部２５は、比較器とマルチプレクサ回路等で形成されており、第１の評価信号ＳＰと第２の評価信号ＳＰHのレベルを比較し、小さいレベルとなっている評価信号を選択的に切り替えることで、選択信号ＣＭを生成して出力する。すなわち、第１の評価信号ＳＰが第２の評価信号ＳＰHのレベルより小さいときには、その第１の評価信号ＳＰを選択信号ＣＭとして出力し、第２の評価信号ＳＰHが第１の評価信号ＳＰのレベルより小さいときには、その第２の評価信号ＳＰHを選択信号ＣＭとして出力する。
【００３９】
ここで、詳細については後述の動作説明において述べるが、上述のレベル調整部２３がエンベロープ信号ＥＶを所定の利得で増幅することにより、図３（ａ）と図４（ａ）に示したように、電界強度の変動の有無に拘わらず、常にエンベロープ信号ＥＶよりもエンベロープ信号ＥＶHのレベルを大きくする。
【００４０】
そして更に、到来電波の電界強度が急激に変動しないとき（つまり、電界強度がほぼ安定しているときや、電界強度が緩やかに低下するとき）には、エンベロープ信号ＥＶよりもエンベロープ信号ＥＶHのレベルの方が大きいという関係が保存されたまま、第１，第２のローパスフィルタ２２，２４がそのエンベロープ信号ＥＶとエンベロープ信号ＥＶHに対して上述のローパスフィルタリングを施すことで、図３（ｂ）に示したように、第１の評価信号ＳＰより第２の評価信号ＳＰHの方がレベルが大きくなって現れる。
【００４１】
したがって、図３（ａ）（ｂ）に示したように、到来電波の電界強度が急激に変動せず、エンベロープ信号ＥＶ，ＥＶHも急激に変動しないときには、選択部２５は、図３（ｃ）に示すように、第２の評価信号ＳＰHよりレベルの小さい第１の評価信号ＳＰを選択信号ＣＭとして出力する。
【００４２】
一方、図４（ａ）（ｂ）に示したように、到来電波の電界強度が急激に低下し、エンベロープ信号ＥＶ，ＥＶHも急激に低下するときには、第１のローパスフィルタ２２の時定数が大きく、第２のローパスフィルタ２４の時定数が小さいという関係から、第１の評価信号ＳＰよりも第２の評価信号ＳＰHのレベルが先に低下する場合が生じる。そのため、到来電波の電界強度が急激に低下し、第１の評価信号ＳＰよりも第２の評価信号ＳＰHのレベルが小さくなるときには、選択部２５は、図４（ｃ）に示すように、そのレベルが小さくなる方の第２の評価信号ＳＰHを選択信号ＣＭとして出力する。
【００４３】
次に、演算器２６は、選択信号ＣＭと、実用感度レベルを考慮して予め決められている所定の固定値ＶＢとの差を演算し、次式（３）（４）の関係に従ってミュート信号ＭＴを生成する。つまり、選択信号ＣＭが固定値ＶＢより大きなレベルとなるときには、次式（３）で表されるように、ミュート信号ＭＴのレベルを０にし、選択信号ＣＭが０レベルから固定値ＶＢの範囲内のときには、次式（４）で表されるように、ミュート信号ＭＴのレベルを差（ＶＢ−ＣＭ）にする。
【００４４】
【数２】
0004732231.tif 000003
【００４５】
次に、減衰器２７は、ミュート信号ＭＴのレベルに従って減衰量を自動調整するオペアンプ等で形成されている。そして、ミュート信号ＭＴのレベルが０のときには、減衰量を０にして、検波信号Ｓxを減衰させることなく出力用の検波信号Ｓyとして出力する。一方、ミュート信号ＭＴのレベルが上記式（４）で表されるレベルを有する場合には、減衰器２７は、ミュート信号ＭＴのレベルが上昇するほど減衰量を増していき、ミュート信号ＭＴのレベルが低下するほど減衰量を減らしていく。そして、設定した減衰量に従って、検波信号Ｓxを減衰させ、出力用の検波信号Ｓyとして出力する。
【００４６】
次に、以上の構成を有するミュート回路２０の動作について、図３及び図４を参照して説明する。
【００４７】
まず、到来電波の電界強度が実用感度レベル以上のとき（到来電波が強いとき）には、選択部２５が、第１のローパスフィルタ２２で生成される第１の評価信号ＳＰと、第２のローパスフィルタ２４で生成される第２の評価信号ＳＰHとを比較し、レベルの大きい方の第２の評価信号ＳＰHを選択信号ＣＭとして出力する。更に、そのときの選択信号ＣＭのレベルは、固定値ＶＢより大きなレベルとなるため、演算器２６から出力されるミュート信号ＭＴのレベルは０になる。そして、減算器２７が、そのレベル０となっているミュート信号ＭＴに従って減衰量を０（別言すれば０ｄＢ）に設定することで、ノイズの目立たない検波信号Ｓxを減衰させることなく、出力用の検波信号Ｓyとして出力する。したがって、その検波信号Ｓyをスピーカ等に供給すると、ノイズ感の少ない音を再生させることができる。
【００４８】
次に、図３（ａ）（ｂ）に示すように、到来電波の電界強度が緩やかに低下していき、実用感度のレベルよりも低下した場合、エンベロープ信号ＥＶ，ＥＶHのレベルも緩やかに低下し、更に、第１，第２のローパスフィルタ２２，２４から出力される第１，第２の評価信号ＳＰ，ＳＰHのレベルも緩やかに低下する。更に、到来電波の電界強度が緩やかに低下するときには、第１の評価信号ＳＰよりも第２の評価信号ＳＰHのレベルの方が大きくなる。このことから、図３（ｃ）に示すように、レベルの小さい方の第１の評価信号ＳＰが選択信号ＣＭとなって選択部２５から出力され、その選択信号ＣＭのレベルが固定値ＶＢより小さくなると、図３（ｄ）に示すように、ミュート開始時点ｔonとなり、演算器２６から出力されるミュート信号ＭＴのレベルが、選択信号ＣＭと固定値ＶＢとの差（ＶＢ−ＣＭ）となって現れる。
【００４９】
そして、到来電波の電界強度が継続して実用感度レベル以下となるときには、図３（ｄ）に示すように、ミュート信号ＭＴのレベルが差（ＶＢ−ＣＭ）となり、減衰器２７がそのミュート信号ＭＴのレベルに対応する減衰量を自動的に設定することで、ノイズの目立った検波信号Ｓxを減衰させて、出力用の検波信号Ｓyとして出力する。したがって、その出力用の検波信号Ｓyをスピーカ等に供給すると、ノイズが抑圧された小音量の音を再生させ、聴取者に対し違和感を低減することができる。
【００５０】
更に、到来電波の電界強度が緩やかに低下する場合には、図３（ｃ）（ｄ）に示したように、選択信号ＣＭのレベルが固有値ＶＢ以下となる時点ｔonでミュート開始となるため、到来電波の電界強度の低下に追従して、ノイズの目立った検波信号Ｓxに対して迅速にミュートを掛けることが可能となっている。
【００５１】
次に、図４（ａ）（ｂ）に示すように、到来電波の電界強度が急激に低下し、実用感度のレベルよりも低下した場合、エンベロープ信号ＥＶ，ＥＶHのレベルも急激に低下する。ただし、時定数の大きい第１のローパスフィルタ２２から出力される第１の評価信号ＳＰのレベルは緩やかに低下するのに対し、時定数の小さい第２のローパスフィルタ２４から出力される第２の評価信号ＳＰHのレベルは急に低下することとなる。
【００５２】
そして、第１の評価信号ＳＰより第２の評価信号ＳＰHのレベルの方が小さくなると、図４（ｄ）に示すように、その第２の評価信号ＳＰHが選択信号ＣＭとなって選択部２５から出力される。そして更に、その選択信号ＣＭのレベルが固定値ＶＢ以下となる時点ｔonでミュート開始となり、演算器２６から出力されるミュート信号ＭＴのレベルが、選択信号ＣＭと固定値ＶＢとの差（ＶＢ−ＣＭ）となって現れる。
【００５３】
そして、到来電波の電界強度が継続して実用感度レベル以下となるときには、図４（ｄ）に示すように、ミュート信号ＭＴのレベルが差（ＶＢ−ＣＭ）となり、減衰器２７がそのミュート信号ＭＴのレベルに対応する減衰量を自動的に設定することで、ノイズの目立った検波信号Ｓxを減衰させて、出力用の検波信号Ｓyとして出力する。したがって、その出力用の検波信号Ｓyをスピーカ等に供給すると、ノイズが抑圧された小音量の音を再生させ、聴取者に対し違和感を低減することができる。
【００５４】
更に、図４（ａ）〜（ｄ）から分かるように、到来電波の電界強度が急激に低下する場合には、その急激な低下に追従してミュート開始時点ｔonが迅速に設定されるため、ノイズの目立った検波信号Ｓxを減衰器２７がいち早く減衰させる。このため、再生用の検波信号Ｓyに基づいてスピーカ等で再生される音に、ノイズ音を生じさせることなく、聴取者に対し違和感を低減することが可能である。
【００５５】
以上に説明したように、本実施形態のミュート回路２０によれば、到来電波の電界強度が緩やかに低下する場合には、大きい時定数を有するローパスフィルタ２２で生成される第１の評価信号ＳＰと固定値ＶＢからミュート信号ＭＴを生成して減衰器２７の減衰量を調整し、到来電波の電界強度が急激に低下する場合には、小さい時定数を有するローパスフィルタ２４で生成される第２の評価信号ＳＰHと固定値ＶＢからミュート信号ＭＴを生成して減衰器２７の減衰量を調整するので、到来電波の電界強度が緩やかに低下する場合には、検波部１４から出力される検波信号Ｓxに対して歪みを生じさせることなくミュート（ソフトミュート）を掛けることができ、到来電波の電界強度が急激に低下する場合には、検波部１４から出力される不快なノイズを抑圧することができる。
【００５６】
特に、到来電波の電界強度が急激に低下する場合、小さい時定数を有するローパスフィルタ２４で生成される第２の評価信号ＳＰHは、その電界強度の急激な低下に追従するので、検波部１４から出力される不快なノイズをいち早く抑圧することができる。
【図面の簡単な説明】
【００５７】
【図１】従来のミュート回路の構成及び機能を説明するための図である。
【図２】実施形態に係るミュート回路の構成を表したブロック図と、ミュート回路に設けられている第１，第２のローパスフィルタの機能を説明するため図である。
【図３】図２に示したミュート回路の動作、特に到来電波の電界強度が緩やかに低下した場合の動作を説明するための説明図である。
【図４】更に、図２に示したミュート回路の動作、特に到来電波の電界強度が急激に低下した場合の動作を説明するための説明図である。
【符号の説明】
【００５８】
１０…ＦＭ受信機
１２…帯域フィルタ
１４…検波部
２０…ミュート回路
２１…エンベロープ検出部
２２，２４…ローパスフィルタ
２３…レベル調整部
２５…選択部
２６…演算器
２７…減衰器
【図１】
0004732231.tif 000004
【図２】
0004732231.tif 000005
【図３】
0004732231.tif 000006
【図４】
0004732231.tif 000007